(57)【要約】【課題】従来、車載端末に経路情報を表示させるためには、ＩＣカード中に位置情報を登録する、手入力で位置を指定する必要があった。このため、余計な手間隙が掛かっていた。特に、ＩＣカードを利用する場合、カード中にそのための記憶領域を設けなければならなかった。【解決手段】本発明では、その課題を解決するために以下の構成をした。本発明では、タクシー端末と接続し、ユーザ毎に目的地の位置情報を記憶する位置情報管理サーバを設けた。つまり、タクシー端末からユーザを識別するユーザＩＤを位置情報管理サーバに送信し、位置情報管理サーバではユーザＩＤをキーにして目的地を検索し、タクシー端末では、検索された目的地までの経路を検索し出力する。【選択図】  図１
2004257843.tif 000002
【特許請求の範囲】
【請求項１】
車両に設置され、目的地までの経路を検索する車両ナビゲーション装置と、利用者毎に目的地の位置情報を記憶した位置情報管理サーバを利用した経路検索方法において、
前記車両から前記位置情報管理サーバに対して、前記車両の利用者を識別するユーザＩＤを送信し、
前記位置情報管理サーバにおいて、送信された前記ユーザＩＤに対応する位置情報を検索し、
前記位置情報管理サーバから前記ナビゲージョン装置へ、検索された前記位置情報を送信し、
前記ナビゲージョン装置において、送信された位置情報に基づいて、前記ユーザの目的地までの経路を検索することを特徴とする経路検索方法。
【発明の詳細な説明】
【０００１】
【発明の属する技術分野】
本発明は、カーナビゲーション装置を含む車両の経路を検索する技術に関する。その中でも特にタクシーにおける経路検索に関する。
【０００２】
【従来の技術】
従来、目的地までの経路を指示するために、ＩＣカードに登録された目的地を読み取り、そこを出力するカーナビゲーション装置がある（特許文献１参照）。
【０００３】
【特許文献１】
特開２００１−５０７６６号公報（要約書、図２）
【０００４】
【発明が解決しようとする課題】
しかし、特許文献１においては、ＩＣカード中に位置情報を登録する必要があった。このため、ＩＣカードを含むカードにそのための記憶領域を設けなければならなかった。
【０００５】
【課題を解決するための手段】
本発明では、その課題を解決するために以下の構成をした。本発明では、タクシー端末と接続し、ユーザ毎に目的地の位置情報を記憶する位置情報管理サーバを設けた。つまり、タクシー端末からユーザを識別するユーザＩＤを位置情報管理サーバに送信し、位置情報管理サーバではユーザＩＤをキーにして目的地を検索し、タクシー端末では、検索された目的地までの経路を検索し出力する。
【０００６】
【発明の実施の形態】
以下、本発明の実施の形態を図面を用いて、説明する。
【０００７】
図１に、本実施の形態のシステム構成図を示す。タクシー１０（−１，２）それぞれに、ナビゲーション機能（経路検索機能）を有する車載端末１１が設置されている。ここで、車載端末１１は、ＧＰＳ衛星を用いて、ナビゲーション機能を実行してもよい。
【０００８】
車載端末１１は、本実施の形態における主たる処理を実行する位置情報管理サーバ２０と無線通信を含むネットワークを介して、接続される。また、車載端末１１および位置情報管理サーバ２０の少なくとも一方は、タクシーの乗客が使用する情報処理装置、すなわち、ＰＣ端末３０や携帯電話４０と接続している。
【０００９】
ここで、車載端末１１の詳細構成について、説明する。カードリーダ１１２は、カード５０からユーザＩＤを読み取る装置である。ディスプレイ１１１は、位置情報の一覧と経路情報を表示する装置である。カーナビ１１３は、位置情報管理サーバ２０から受信した位置情報を元に経路情報を検索する装置である。リモコン１１４は、位置情報登録時に登録名を入力するものである。
【００１０】
なお、車載端末装置１１、位置情報管理サーバ２０およびＰＣ端末３０は、記憶媒体に格納されたプログラムに従ってプロセッサが各処理を実行する情報処理装置である。
【００１１】
次に、図３および図４に示すフローチャートを用いて、本実施の形態の処理内容を説明する。本実施の形態には、大きく分けて「登録処理」と「表示処理（経路検索処理）」がある。
【００１２】
まず、登録処理について、図３を用いて、説明する。
【００１３】
まず、ステップ１０１において、車載端末１１が、ＩＤカードからユーザＩＤ（１２３）を読み取る。このために、まず、タクシー運転手が利用客からＩＤカードを受け取り、カードリーダに挿入する。すると、車載端末１１は、ＩＤカードから、利用客を識別するユーザＩＤをと読みとる。なお、ユーザＩＤ１２３は、利用者の名前、利用者の会員番号を含む。また、ユーザＩＤ１２３は、利用客でなく利用客の行き先を識別するものであってもよく、この場合、行き先の地名、経度情報・緯度情報、行き先の建物名を含む。
【００１４】
次に、ステップ１０２において、車載端末１１がＧＰＳからその時点でタクシーが位置する位置の位置情報（Ｘ１，Ｙ１，Ｚ１））を取得する。
【００１５】
また、ステップ１０３において、車載端末１１が登録名（ここでは、自宅）を受け付ける。タクシー運転手は、利用客から登録名「自宅」を聞き、これを車載端末１１に入力する。車載端末１１は、タクシー運転手から入力される「自宅」の入力を受け付ける。
【００１６】
次に、ステップ１０４において、車載端末１１がステップ１０２で取得した位置情報とステップ１０３で受け付けた登録名を送信する。これは、タクシー運転手が車載端末１１の登録ボタンを押すことにより実行される。
【００１７】
そして、ステップ１０５において、位置情報管理サーバ２０が図１に示す「位置情報ＤＢ２４」にこれらの情報を登録する。
【００１８】
なお、ここでは、車載端末１１から登録を実行したが、ＰＣ端末３０や携帯電話４０からこれらの情報を登録してもよい。この場合、いわゆるＧＰＳ機能を有しないＰＣ端末３０や携帯電話４０から登録する場合、表示される地図上登録地を指定して、この指定に基づく位置情報を送信してもよい。さらに、ＩＤカードを利用しなくともよい。つまり、利用客の氏名、住所などの利用客情報を入力し、これに基づいて、ユーザＩＤを生成し、生成されたユーザＩＤをタクシー会社のサーバ（例えば、位置情報管理サーバ２０）でＩＤカードに格納して、利用客にＩＤカードを配布してもよい。
【００１９】
次に、図４を用いて、表示処理（経路検索）について、説明する。
【００２０】
まず、ステップ２０１において、車載端末１１がユーザＩＤ（１２３）を読み取る。タクシー運転手が、乗車してきた利用客からＩＤカードを受け取り、カードリーダに挿入するとユーザＩＤ（１２３）が読まれる。
【００２１】
次に、ステップ２０２において、車載端末１１がユーザＩＤ（１２３）を、位置情報管理サーバ２０に、送信する。タクシー運転手が、車載端末１１の送信ボタンを押すことによりこの送信処理が実行される。
【００２２】
次に、ステップ２０３において、位置情報管理サーバ２０が車載端末１１から送信されたユーザＩＤ（１２３）を受信する。
【００２３】
次に、ステップ２０４において、位置情報管理サーバ２０が受信されたユーザＩＤ（１２３）をキーとして、位置情報を検索する。つまり、ユーザＩＤ（１２３）に対応する位置情報１（登録名：自宅、座標データ：（Ｘ１，Ｙ１，Ｚ１）と位置情報２（登録名：会社、座標データ（Ｘ２，Ｙ２，Ｚ２）を、図１に示す位置情報ＤＢ２４から検索する。
【００２４】
次に、ステップ２０５において、位置情報管理サーバ２０がステップ２０４で検索された位置情報１と位置情報２を、車載端末１１に送信する。
【００２５】
次に、ステップ２０６において、車載端末１１がステップ２０５で送信された位置情報１と位置情報２を受信する。
【００２６】
そして、ステップ２０７において、車載端末１１が送信された位置情報１と位置情報２の登録名、すなわち「自宅」と「会社」を表示装置１１１に表示する。
【００２７】
次に、ステップ２０８において、車載端末１１は利用客（もしくは利用客の指示による運転手の）指示に基づいて、表示されている登録名（自宅）を選択する。そして、車載端末１１は、選択された登録名（自宅）の座標データ（Ｘ１，Ｙ１，Ｚ１）をカーナビ１１３に渡す。
【００２８】
そして、ステップ２０９において、車載端末１１のカーナビ１１３が座標データに基づいて、経路検索し、ディスプレイ１１１にその経路を表示する。
【００２９】
なお、本実施の形態では、ステップ２０２では、ユーザＩＤを送信しているが、ユーザＩＤおよび登録名を送信してもよい。この場合、ステップ２０４において、位置情報管理サーバ２０は、送信されたユーザＩＤに対応する位置情報のうち、送信された登録名（自宅）を含む位置情報、すなわち、座標データ（Ｘ１，Ｙ１，Ｚ１）を検索する。そして、この座標データを、車載端末１１に送信する。これにより、ステップ２０８を省略することが可能になる。但し、ステップ２０８を利用客の確認として残してもよい。
【００３０】
次に、図７を用いて、表示処理の別の例を説明する。
【００３１】
まず、図４に示すステップ２０１〜２０３と同様の処理を実行する。
【００３２】
次に、ステップ３０１において、位置情報管理サーバ２０が、ステップ２０３で受信したユーザＩＤ（１２３）に基づいて、登録名を検索する。図６に示す位置情報ＤＢ２４の例では、登録名として「自宅」（位置情報１）および「会社」（位置情報２）を検索する。そして、ステップ３０２において、位置情報管理サーバ２０が、ユーザＩＤ（１２３）を送信した車載端末１１へ、検索された登録名である「自宅」および「会社」を送信する。
【００３３】
次に、ステップ３０３において、車載端末１１は、ステップ３０２で送信された登録名「自宅」「会社」を受信する。そして、ステップ３０４において、車載端末１１が、受信した登録名である目的地「自宅」「会社」を、ディスプレイ１１１に表示する。
【００３４】
次に、ステップ３０５において、車載端末１１は、ステップ３０４の表示によりユーザ（タクシー運転手もしくはタクシーの乗客）に促される目的地の選択を実行する。つまり、ユーザからリモコン１１４を含む入力手段による入力に従った目的地を、表示された目的地から選択する。そして、ステップ３０６において、車載端末１１は、ステップ３０５で選択された目的地すなわち登録名を、位置情報管理サーバ２０に送信する。
【００３５】
次に、ステップ３０７において、位置情報管理サーバ２０は、ステップ３０６において送信された登録名を受信する。そして、ステップ３０８において、位置情報管理サーバ２０は、ステップ３０７で受信した登録名に対応する座標データを検索する。ステップ３０７で送信された登録名が「自宅」の場合、図６に示す位置情報ＤＢ２４から座標データ（Ｘ１，Ｙ１，Ｚ１）を検索する。そして、ステップ３０９において、位置情報管理サーバ２０は、ステップ３０８で検索された座標データ（Ｘ１，Ｙ１，Ｚ１）を、車載端末１１に送付する。
【００３６】
次に、ステップ３１０において、車載端末１１は、ステップ３０９で送信された座標データを受信する。そして、図４に示すステップ２０９以降の処理を実行して、受信した座標データに基づく経路検索処理を実行する。
【００３７】
【発明の効果】
本発明によれば、ＩＣカード中に位置情報を登録する必要がなく、ＩＣカードを含むカードにそのための記憶領域を設ける必要がなくなる。
【図面の簡単な説明】
【図１】本発明の一実施の形態の構成図を示す。
【図２】車載端末１１の構成図を示す。
【図３】位置情報を登録する処理のフローを示す。
【図４】位置情報を表示する処理のフローチャート（その１）を示す。
【図５】ＩＤカードに記録されている情報を示す。
【図６】位置情報ＤＢ２４のデータ項目を示す。
【図７】位置情報を表示する処理のフロー（その２）を示す。
【符号の説明】
１０…タクシー、１１…車載端末、２０…位置情報管理サーバ、２１…プロセッサ、２２…メモリ、２３…処理プログラム、２４…位置情報ＤＢ、３０…ＰＣ端末、４０…電話。
【図１】
2004257843.tif 000003
【図２】
2004257843.tif 000004
【図３】
2004257843.tif 000005
【図４】
2004257843.tif 000006
【図５】
2004257843.tif 000007
【図６】
2004257843.tif 000008
【図７】
2004257843.tif 000009